(57)【要約】【課題】  多機能電源装置を提供する。【解決手段】  手回し発電機ＭＤ、整流フィルター回路１、充電池２、照明回路３、昇圧回路５、電力出力回路６、ラジオユニット４により構成する。該手回し発電機の作動により発電し、該整流フィルター回路は直流電力に変換可能で該充電池に対して充電し、該充電池により照明回路、ラジオに電力を提供する。該昇圧回路及び該電力出力回路は、電圧の異なる直流電源として出力する。照明、ラジオ受信の外、他の電気機器に対して異なる電圧の電力を提供可能である。【選択図】  図  １
0003115713.tif 000002
【実用新案登録請求の範囲】
【請求項１】
ケース体内に、手回し発電機、整流フィルター回路、充電池、照明回路、昇圧回路、電力出力回路を配置して構成し、
該手回し発電機は、人力により駆動して交流電力を発生し、
該整流フィルター回路は、数個のダイオード及び電気抵抗、コンデンサにより構成し、この発生交流電力を直流電力に変換、雑信号をろ過し、電圧を安定させ、該充電池に対して充電し、
該照明回路は、数個のダイオード、電気抵抗、LED、スイッチにより構成し、
該スイッチは、該充電池に接続し、該LEDは発光して照明機能を発揮し、
該昇圧回路は、昇圧チップ、電気抵抗、インダクター、コンデンサにより構成し、該充電池に接続し、該充電池の直流電圧を昇圧し、
該電力出力回路は、コンセント、数個の相互に直列接続する異なる電気抵抗値の電気抵抗、スイッチにより構成し、該昇圧回路に接続し、該昇圧回路の電圧は該異なる電気抵抗値により異なる電圧値(３Ｖ、４．５Ｖ、６Ｖ、７．５Ｖ、９Ｖ、１２Ｖなど)となり、該各スイッチの内の一個を通電して複数の各コンセントに供給し、
該コンセントを介して外部の他の電気製品が必要とする電力を供給するようにしてなることを特徴とする多機能電源装置。
【請求項２】
前記充電池は、前記スイッチ及び前記ラジオユニットに接続可能で、ラジオ放送を受信する機能を具えることを特徴とする請求項１記載の多機能電源装置。
【考案の詳細な説明】
【技術分野】
【０００１】
本考案は多種の機能を備える電源装置に関する。特に手回し発電機、整流フィルター回路、充電池を備え、手回し発電と蓄電が可能であるため、全体機能が必要とする電力を供給することができ、乾電池を交換する必要がないため、使用の利便性と消耗材である乾電池のコスト負担を不要とし、また照明回路、ラジオユニットを設置し、懐中電灯としての照明機能とラジオ受信の機能を具え、さらに昇圧回路、電力出力回路を設置し、充電池の電圧を多種の異なる電圧値に変換し出力可能で、異なる電気製品が必要とする異なる電圧の電力を提供可能である多機能電源装置に係る。
【背景技術】
【０００２】
公知の手回し発電機が提供する電源は、照明用の電源として用いられるが、単純な手回し発電機、整流回路、充電池、LEDランプにより構成されるため、ただ「電圧を一定値に固定」し照明電源などとして使用されるだけで、他の機能は具えていない。
また、公知の一般的な機器用電源は、多種の異なる電圧値の整流器を提供可能だが、それらはみな整流回路により設定され、異なる電圧出力の変圧器を具える。すなわち、その電源はコンセントを一般家庭用交流電源に挿入して得るものであるため、一般の交流電源がない時には、使用することができない。つまり、携帯が不能である。
また公知のラジオ用電源は、コンセントを一般の家庭用交流電源に差込み、或いは乾電池を採用し、或いは充電池を使用するが、明らかに不便である。
【特許文献１】特開平０３−３６９４４号公報
【考案の開示】
【考案が解決しようとする課題】
【０００３】
公知構造には以下の欠点があった。
すなわち、公知の手回し発電機は電圧を一定値に固定し照明用電源などとして使用されるだけで、他の用途向け電源機能は具えていない。
また、公知の一般的な機器用電源はコンセントを一般家庭用交流電源に挿入して得るものであるため、携帯が不能である。
さらに公知のラジオ用電源は、コンセントを一般の家庭用交流電源に差込み、或いは乾電池を採用し、或いは充電池を使用するが、この使用方式は明らかに不便である。
本考案は上記構造の問題点を解決した多機能電源装置を提供するものである。
【課題を解決するための手段】
【０００４】
上記課題を解決するため、本考案は下記の多機能電源装置を提供する。
それは主に手回し発電機、整流フィルター回路、充電池を備え、
手回し発電と蓄電が可能でるため、全体機能が必要とする電力を供給することができ、乾電池を交換する必要がないため、使用の利便性と消耗材である乾電池のコスト負担を不要とし、
また照明回路、ラジオユニットを設置し、懐中電灯としての照明機能とラジオ受信の機能を具え、
さらに昇圧回路、電力出力回路を設置し、充電池の電圧を多種の異なる電圧値に変換し出力可能で、異なる電気製品が必要とする異なる電圧の電力を提供可能であることを特徴とする多機能電源装置である。
【考案の効果】
【０００５】
上記のように、本考案は手回し発電機、充電池により電力を作り出すことができるため、一般の家庭用交流電源に接続する必要や、交換が必要な一般の乾電池を使用する必要がなく、どこでも使用が可能である。よって、乾電池のコストが不要となり、かつ懐中電灯、ラジオ、多種の異なる電圧値の電源として活用可能で多機能を具えている。
【考案を実施するための最良の形態】
【０００６】
図１に示すように、本考案構造は、ケース体内に組み込まれた手回し発電機MD、整流フィルター回路１、充電池２、照明回路３、昇圧回路５、電力出力回路６、ラジオユニット４により構成する。
該手回し発電機MDは人の手により廻して交流電力を発生する。
該整流フィルター回路１は数個のダイオードD1、D2、D3、D4、D5、D6及び電気抵抗R1、コンデンサC1により構成し、交流電力を直流電力に変換可能で、雑信号をろ過し、電圧を安定させ、該充電池２に対して充電し、蓄電する。
該照明回路３は、数個のダイオードD7、D8、D9、電気抵抗R2、R3、R4、LED、スイッチS1を具える。
該スイッチS1は、該充電池２に接続し、該LEDは発光し照明機能を発揮する。
該昇圧回路５は、昇圧チップ、電気抵抗R5、R6、インダクターL、コンデンサC2により構成する。該昇圧回路５は、該充電池２に接続し、該充電池２の直流電圧を昇圧する。
該電力出力回路６は、抵抗R7、コンセント６０、数個の相互に直列接続する異なる電気抵抗値の抵抗R8、R9、R10、R11、R12、R13、スイッチS3、S4、S5、S6、S7、S8により構成する。該電力出力回路６は該昇圧回路５に接続し、該昇圧回路５の電圧は該異なる電気抵抗値により降圧し多種の異なる電圧値(３Ｖ、４．５Ｖ、６Ｖ、７．５Ｖ、９Ｖ、１２Ｖなど)となる。さらに、該各スイッチS3、S4、S5、S6、S7、S8の内の一個を通電し、該コンセント６０は選択、設定した電圧値を得ることができる。こうして、該コンセント６０は外部の他の電気製品が必要とする電力を供給することができる。
該ラジオユニット４は外部のラジオ局の電波を受信し、音声を発することができる。
【０００７】
図２に示すように、人手により手回し発電機MD内部のロータを回す時、該手回し発電機MDは交流電力(電圧は約６V)を発生する。該交流電力は各ダイオードD1、D2、D3、D4、D5、D6により整流され直流電力となる。さらに、コンデンサC1により雑信号をろ過され、電気抵抗R1により電圧を安定させ(約４．２V)た後、充電池２に対して充電する。該充電池２はこの電力を蓄電することができる。
照明回路３のスイッチS1が通電すると、該充電池２の電力は該照明回路３に通電し、LEDを発光させ、懐中電灯としての照明機能を達成する。
ラジオユニット４のスイッチS2が通電すると、該充電池２の電力は該ラジオユニット４(ラジオユニットの具体的回路は公知構造に属するため、ここでは詳述しない)に通電し、ラジオ局の電波を受信し、音を発し、ラジオ番組を受信するという機能を達成する。
【０００８】
該充電池２は昇圧回路に接続するため、該充電池２の低電圧(約４．２Ｖ)を高電圧(１５Ｖ)に上げることができ、さらに電力出力回路６に接続する。該電力出力回路６の各異なる電気抵抗値の電気抵抗R8、R9、R10、R11、R12、R13により電圧を下げ安定させ、３Ｖ、４．５Ｖ、６Ｖ、７．５Ｖ、９Ｖ、１２Ｖなどの異なる電圧値を得ることができる。そのため、異なる電気製品が必要とするそれぞれの電圧電力を提供可能である。すなわち、他の電気製品はコンセント６０に挿入し、該気製品が必要とする電圧に応じて、スイッチS3、或いはS4、或いはS5、或いはS6、或いはS7、或いはS8を通電させるだけで、該通電した電圧値の電力を、デジカメ、ノートPC、デジタルプレーヤー、携帯電話端末の充電池、コンソールゲーム機、他の充電池の充電に供給することができる。
【図面の簡単な説明】
【０００９】
【図１】本考案の線路構造図である。
【図２】本考案の機能ブロックチャートである。
【符号の説明】
【００１０】
１  整流フィルター回路
MD  手回し発電機
２  充電池
D1、D2、D3、D4、D5、D6、D7、D8、D9  ダイオード
４  ラジオユニット
C1、C2  コンデンサ
５  昇圧回路
R1、R2、R3、R4、R5、R6、R7、R8、R9、R10、R11、R12、R13  電気抵抗
６  電力出力回路
６０  コンセント
S1、S2、S3、S4、S5、S6、S7、S8  スイッチ
L  インダクター
【図１】
0003115713.tif 000003
【図２】
0003115713.tif 000004
【手続補正書】
【提出日】平成17年8月29日(2005.8.29)
【手続補正１】
【補正対象書類名】実用新案登録請求の範囲
【補正対象項目名】請求項１
【補正方法】変更
【補正の内容】
【請求項１】
ケース体内に配置された、手回し発電機、整流フィルター回路、充電池、照明回路、昇圧回路、電力出力回路から構成され、
該手回し発電機は、人力により駆動される交流電源であり、
該整流フィルター回路は、数個のダイオード及び電気抵抗、コンデンサにより構成されてこの発生交流電力を直流電力に変換、雑信号をろ過し、電圧を安定させて該充電池に対して充電するべく、
該手回し発電機より該整流フィルター回路を経て該充電池に接続してなり、
該照明回路は、数個のダイオード、電気抵抗、LED、スイッチにより構成されると共に、これらダイオード、電気抵抗により電圧調整されてLEDを発光して照明するよう該スイッチを介して該充電池に接続され、
該昇圧回路は、昇圧チップ、電気抵抗、インダクター、コンデンサにより構成されて、該充電池の直流電圧を昇圧するべく該充電池に接続され、
該電力出力回路は、コンセント、数個の相互に直列接続された異なる電気抵抗値の電気抵抗及びスイッチにより構成されて、該異なる電気抵抗値により異なる電圧値(３Ｖ、４．５Ｖ、６Ｖ、７．５Ｖ、９Ｖ、１２Ｖなど)をコンセントに供給するべく、各電気抵抗にそれぞれ接続された該各スイッチを介してコンセントと該昇圧回路を接続してなることにより、
該コンセントを介して外部の他の電気製品が必要とする電圧値の電力を供給するようにしてなることを特徴とする多機能電源装置。